(57)【要約】【課題】  ＷＥＢページに表示されている見出し、もしくは文章、もしくは文節、もしくは単語、もしくは画像がその内容を示すデータを有しているとき、それを容易に確認できるようにすることを目的とする。【解決手段】  ＷＥＢページが見出し、もしくは文章、もしくは文節、もしくは単語、もしくは画像とそれが示す内容がわけられて作成されており、それを関連付けて閲覧させるとき、その見出し、もしくは文章、もしくは文節、もしくは単語、もしくは画像が配置されたＷＥＢページにおいてそれが入力装置によって選択することが可能な状態になったとき、それが示す内容の一部、もしくは全部、もしくは概略、もしくは関連情報を閲覧中のＷＥＢページ上に表示させる。【選択図】図４
2010160771.tif 000002
【特許請求の範囲】
【請求項１】
ＷＥＢページが見出し、もしくは文章、もしくは文節、もしくは単語、もしくは画像とそれが示す内容がわけられて作成されており、それを関連付けて閲覧させるとき、その見出し、もしくは文章、もしくは文節、もしくは単語、もしくは画像が配置されたＷＥＢページにおいてそれが入力装置によって選択することが可能な状態になったとき、それが示す内容の一部、もしくは全部、もしくは概略、もしくは関連情報を閲覧中のＷＥＢページ上に表示させることを特徴とする表示システム。
【発明の詳細な説明】
【技術分野】
【０００１】  本発明は、ＷＥＢページの表示に関するものである。
【背景技術】
【０００２】  従来の技術では、ＷＥＢサイトを構築するに際し、可読性の向上やデザイン性の向上などの理由によって見出し、もしくは文章、もしくは文節、もしくは単語、もしくは画像とそれが示す内容をわけてＷＥＢページを作成しておき、見出し、もしくは文章、もしくは文節、もしくは単語、もしくは画像が表示されているＷＥＢページにそれが示す内容が記載されたＷＥＢページへと誘導することができる情報を付加させておくことでそれを関連付けて閲覧させる手法がとられている。【０００３】  このような場合、その内容を確認するには、閲覧中のＷＥＢページの内容を切り替えてその内容を表示させるか、もしくは新たなＷＥＢページ閲覧プログラムを用いてその内容を表示させる必要がある。【０００４】  特許文献１はＨＴＭＬデータ読み込み表示ソフトを用いてＨＴＭＬデータを取得、それを解析してその結果からリンク情報を抽出し、そのリンク情報を用いてこの作業を繰り返す、その結果マウスクリックすることなく、そのリンク情報を自動で連続的に表示することができる自動ページ表示装置及び自動ページ表示方法を提案している。
【特許文献１】特開平１１−１４３６７４号公報
【発明の開示】
【発明が解決しようとする課題】
【０００５】  しかしながら、上記のような技術では閲覧中のＷＥＢページの内容の切り替えや、新たなＷＥＢページ閲覧プログラムを実行する際にそれを処理するための時間が必要となりユーザーの負担となっている。【０００６】  本発明が解決しようとする課題は、ＷＥＢページが見出し、もしくは文章、もしくは文節、もしくは単語、もしくは画像とそれが示す内容がわけられて作成されているとき、その見出し、もしくは文章、もしくは文節、もしくは単語、もしくは画像が示す内容に誘導することができる情報を保持したＷＥＢページよりその内容を確認するためにかかる閲覧中のＷＥＢページの内容を切り替える時間、もしくは新たなＷＥＢページ閲覧プログラムを実行する時間を軽減することである。
【課題を解決するための手段】
【０００７】  前記の課題を解決するため、ＷＥＢページが見出し、もしくは文章、もしくは文節、もしくは単語、もしくは画像とそれが示す内容がわけられて作成されており、それを関連付けて閲覧させるとき、その見出し、もしくは文章、もしくは文節、もしくは単語、もしくは画像が配置されたＷＥＢページにおいてそれが入力装置によって選択することが可能な状態になったとき、それが示す内容の一部、もしくは全部、もしくは概略、もしくは関連情報を閲覧中のＷＥＢページ上に表示させる表示システムを用いることを特徴とする。
【発明の効果】
【０００８】  本発明によれば、ＷＥＢページが見出し、もしくは文章、もしくは文節、もしくは単語、もしくは画像とそれが示す内容がわけられて作成されているとき、その内容を確認するために入力装置によって選択することを必要とせず、かつ閲覧中のＷＥＢページの内容を切り替える、もしくは新たなＷＥＢページ閲覧プログラムを実行することがなくなるためそれにかかっていた時間を軽減することができる。それによってユーザーは情報を収集するための時間を短縮することができ、作業効率を向上させることができるという効果がある。
【発明を実施するための最良の形態】
【０００９】  本発明の実施形態についてはインターネットショップやインターネットオークションなど様々な形態が想定できるが、ここではニュース記事の閲覧を目的としたＷＥＢページの適用例を「実施例１」として説明する。
【実施例１】
【００１０】  ニュース記事が閲覧できるＷＥＢページにおいて閲覧することのできるニュース記事の見出しの一覧とニュース記事の画像の一覧が図１のように表示されている。それぞれの見出しとそれぞれの画像には選択することが可能な状態になった際に実行される内部プログラムが設定されている。【００１１】  それぞれの見出しとそれぞれの画像が示す内容は別のＷＥＢページに記載されている。図２は記事１の見出しに対する内容が記載されたＷＥＢページである。図３は画像１に対する内容が記載されたＷＥＢページである。【００１２】  ユーザーはニュース記事の見出しの一覧もしくはニュース記事の画像の一覧から閲覧を希望するものをマウス等の入力装置によって選択することが可能な状態にする。【００１３】  ユーザーの操作によって記事１の見出しを選択することが可能な状態になったとするとき、それに対して設定された内部プログラムを実行し、図４のように記事１の見出しが示す内容を閲覧中のＷＥＢページ上に表示させる。【００１４】  その後、記事１の見出しもしくは表示された記事１の内容がユーザーの操作によって選択することが可能な状態ではなくなったとき、表示された記事１の内容を非表示にする。【００１５】  同様に、ユーザーの操作によって画像１を選択することが可能な状態になったとするとき、それに対して設定された内部プログラムを実行し、図５のように画像１が示す内容を閲覧中のＷＥＢページ上に表示させ、その後、画像１もしくは表示された画像１の内容がユーザーの操作によって選択することが可能な状態ではなくなったとき、表示された画像１の内容を非表示にする。
【図面の簡単な説明】
【００１６】
【図１】ニュース記事の見出しの一覧とニュース記事の画像の一覧が表示されているＷＥＢページを示している図である。
【図２】記事１の見出しに対する内容が記載されているＷＥＢページを示している図である。
【図３】画像１に対する内容が記載されているＷＥＢページを示している図である。
【図４】記事１の見出しを選択することが可能な状態になり、その内容が閲覧中のＷＥＢページ上に表示されていることを示す図である。
【図５】画像１を選択することが可能な状態になり、その内容が閲覧中のＷＥＢページ上に表示されていることを示す図である。
【図１】
2010160771.tif 000003
【図２】
2010160771.tif 000004
【図３】
2010160771.tif 000005
【図４】
2010160771.tif 000006
【図５】
2010160771.tif 000007